(57)【特許請求の範囲】
【請求項１】
過電流に基づいて湾曲する主バイメタルと、該主バイメタルの自由端に連結したシフタの変位に従動する釈放レバーと、該釈放レバーで駆動される接点開閉用の反転動作機構と、釈放レバーの基端に調整リンクを連結して整定電流の調整を行う調整ダイヤルとからなり、主バイメタルの湾曲を捉えて出力接点を開閉する熱動形過負荷継電器であって、前記反転動作機構が一端を支点にして反転可能に支持された可動板と、該可動板を反転駆動するための引っ張りばねとからなり、該引っ張りばねの線条の中腹を前記釈放レバーにより押圧して可動板を反転駆動するようにしたものにおいて、前記引っ張りばねの線条の中腹に突起部を形成し、該引っ張りばねの突起部に前記釈放レバーを当接させたことを特徴とする熱動形過負荷継電器。
【請求項２】
請求項１に記載の熱動形過負荷継電器において、引っ張りばねに形成した突起部を引っ張りばねの両端を結んだ軸線からずらしたことを特徴とする熱動形過負荷継電器。
【発明の詳細な説明】
【０００１】
【発明の属する技術分野】
本発明は、電磁接触器と組合せて使用する熱動形過負荷継電器（サーマルリレー）に関し、特に熱動形過負荷継電器の反転動作を安定させるための反転構造に関する。
【０００２】
【従来の技術】
電動機などの過負荷保護対策として、その電源回路に接続した電磁接触器に熱動形過負荷継電器を組合せ、過負荷運転時に電磁接触器で電流をしゃ断して電動機を運転停止するようにした方式が標準的な配電方式として一般に採用されている。
【０００３】
図４及び図５は従来の熱動形過負荷継電器を示すものであり、図４は、熱動形過負荷継電器の定常状態を示す内部機構図、図５は、熱動形過負荷継電器の過負荷状態を示す内部機構図である。
図において、１は本体ケース、２は主バイメタル（３相回路の１相のみを示している）、３は主バイメタル２の先端に連結したシフタ、４は接点開閉用の反転動作機構、５は可動接点５ａ及び固定接点５ｂからなる常閉接点、６は固定接点６ａ及び可動接点６ｂからなる常開接点、７は支点７ｂを中心に回動可能に軸支され、主バイメタル２のシフタ３と前記反転動作機構４との間を連繋する釈放レバー、８は下端が本体ケース１に設けた溝１ａに支持されるとともに、釈放レバー７の基端に支点７ｂで連結された調整リンク、９はカム面９ａを有する調整ダイヤルであり、該カム部９ａに前記調整リンク８の上端８ａが当接している。
ここで、前記反転動作機構４は一端を略コ字状の支持片11のＶ溝11ａに係止支持した揺動式可動板10と、該可動板10の先端部10ａと支持片11のばね掛け部11ｂとの間に張架した引っ張りばね（反転駆動ばね）12と、可動板10から背後に向けてＬ字形に突き出した絶縁物製の常開接点用駆動レバー13からなり、可動板10の先端部には常閉接点５の可動接点５ａが取付けてある。また、常閉接点５の固定接点５ｂは本体ケース１の底部に一端を固定して水平方向に敷設した板ばね構造の接点支持片14に取付けられている。
【０００４】
前記引っ張りばね12は、ばね鋼材の線条にコイル状ばね部12ｂを形成するとともに両端にフック部を形成したものである。また、前記釈放レバー７には、引っ張りばね12の線条の中腹に当接する円形状のレバー先端部７ａが設けられている。
かかる構成で、図４に示す定常状態では、反転動作機構４の可動板10が引っ張りばね12のばね力を受けて中立位置から時計方向に傾動していて、常閉接点５（電磁接触器の電磁コイルと直列に接続されている）の可動接点５ａを固定接点５ｂに押し付けて接点をＯＮ状態に保持している。なお、この状態では常開接点６はＯＦＦである。
【０００５】
ここで、主回路に過負荷電流が流れると主バイメタル２が加熱湾曲し、その自由端の変位によりシフタ３が右方向に移動する。これにより、釈放レバー７は図５に示すように支点７ｂを中心にして点線の位置から実線の位置に揺動する。このとき、反転動作機構４の引っ張りばね12の線条の中腹をレバー先端部７ａにより上方に突き上げるとともに、引っ張りばねの変位が可動板10の死点を超えると可動板10が急速に反転駆動して、常閉接点５の可動接点５ａが固定接点５ｂから開離するとともに、駆動レバー13により可動接点６ｂが取付けられた可動接触子片が押圧されて可動接点６ｂが固定接点６ａに接触して接点をＯＮに切換える。
【０００６】
次に、過電流継電器の整定電流値の調整方法を図４に基づいて説明する。図４において、調整ダイヤル９を回すと、カム面９ａに当接している上端８ａを有する調整リンク８がケースの溝１ａを支点として実線の位置から点線の位置に変位する。これに伴って調整リンク８に連結された釈放レバー７も実線の位置から点線の位置に変位して移動し、釈放レバー７とシフタ３の先端との間のギャップを変化させることができる。また、この整定電流値の調整操作に伴い、釈放レバー７のレバー先端部７ａは図示のＡ方向（右方向）に移動する（その移動範囲をＣで表す）。
【０００７】
【発明が解決しようとする課題】
ところで、前記した従来構造の熱動形過負荷継電器では、動作特性面で次に記すような問題点がある。
すなわち、前述のように調整ダイヤル９を回して整定電流値を調整すると、引っ張りばね12の線条に当接する釈放レバー７のレバー先端部７ａの位置が引っ張りばね12の線条の中腹に沿ってＡ方向に移動する（移動範囲Ｃ）。このレバー先端部７ａがばね線条に沿って左右方向に変化すると引っ張りばね12の見かけ上の横剛性が変わり、これが基で可動板10の反転動作特性が変化するようになる。つまり、レバー先端部７ａの位置が線条に対してＡの方向に移動すると、レバー先端部と引っ張りばね12の上端部10ａとの間の距離が短くなってばねの見かけ上の横剛性が強くなり、主バイメタル２の湾曲に従動するシフタ３が釈放レバー７を介して引っ張りばね12を押したときの撓み代が抑えられて反転動作機構４の可動板10が一気に反転できず、徐々に上側へ変位しながら反転するような挙動を示すといった欠点があった。
【０００８】
そこで、本発明の課題は、上記問題点を解決し、整定電流値の調整に関係なく、安定した反転動作、動作特性が得られるように改良した熱動形過負荷継電器を提供することにある。
【０００９】
【課題を解決するための手段】
上記課題を解決するために、本発明は、釈放レバーで駆動される接点開閉用の反転動作機構として、一端を支点にして反転可能に支持された可動板と、該可動板を反転駆動するための引っ張りばねとを備え、引っ張りばねの線条の中腹を釈放レバーにより押圧して可動板を反転駆動するようにした熱動形過負荷継電器において、前記引っ張りばねの線条の中腹に突起部を形成し、該引っ張りばねの突起部に釈放レバーを当接させるものとする。この請求項１の発明によれば、調整ダイヤルにより調整リンクを介して釈放レバーを変位させても、引っ張りばねの線条の中腹部に形成した突起部の位置は変わらないため、安定した反転動作を得ることができる。
また、上記熱動形過負荷継電器において、引っ張りばねに形成した突起部を引っ張りばねの両端を結んだ軸線からずらして構成すれば、引っ張りばねのぶれを押させることができ、より安定した反転動作が得られる。
【００１０】
【発明の実施の形態】
以下、本発明の実施の形態を図面に基づいて説明する。なお、図１乃至図３において、従来例と同一部材には同一符号を付してその説明は省略する。
図１は、熱動形過負荷継電器の定常状態を示す内部機構図であり、図２は、熱動形過負荷継電器の過負荷状態を示す内部機構図である。また、図３は、図１に示す引っ張りばねの斜視図である。
【００１１】
図において、本実施例の熱動形過負荷継電器は基本的に図４と同様な構成となるが、従来例と相違する点は、反転動作機構40の可動板10と支持片11のばね掛け部11ｂとの間に架け渡した引っ張りばね20を図３に示すような形状に形成するとともに、釈放レバー70の引っ張りばね20の線条の中腹を押圧する先端部を平坦面70ａとして形成した点である。
【００１２】
図３において、引っ張りばね20は、ばね鋼材の線条20ａにコイル状ばね部20ｂおよび上下の両端にフック部20ｃが形成されており、上端のフック部20ｃとコイル部20ｂとの間の中腹に、釈放レバー70の平坦面70ａに当接する突起部20ｄが形成されている。また、この突起部20ｄは、両端のフック部20ｃ、20ｃを結んだ軸線からずらし量Ｙだけずらすようにして設定されている。
【００１３】
一方、前記引っ張りばね20の突起部20ｄと当接する釈放レバー70の先端部は、調整ダイヤル９の操作に伴う左右移動範囲Ｃをカバーするように平坦面70ａとして形成されている。そして、図１に示す定常状態において、前記引っ張りばね20の中腹に形成した突起部20ｄを前記釈放レバー70の先端部に形成した平坦面70ａにより押圧するように構成している。
【００１４】
かかる構成によれば、調整ダイヤル９の操作で釈放レバー70の平担面70ａが図１に示すようにＡ方向に変位移動しても、釈放レバー70の突起部70ａにより押圧される引っ張りばね20の位置は左右に変位せず、主バイメタル２の湾曲に伴って釈放レバー70が引っ張りばね20を同じ位置から押して可動板10を反転動作させる。これにより、遅れのない安定した反転動作が得られる。
【００１５】
前記引っ張りばね20は、引っ張りばね20の一部に曲げを設けるだけなので、別部品が不要であり安価な部品供給ができる。また、引っ張りばね20の中腹に形成する突起部20ｄを引っ張りばねの両端を結んだ軸線からずらし量Ｙだけずらして設定することにより、引っ張りばねのぶれを抑え、より安定した反転動作を得ることができる。
【００１６】
【発明の効果】
以上のとおり、この発明によれば、整定電流値の調整に関係なく、安定した反転動作、動作特性が得られるとともに、引っ張りばねの一部に曲げを設けるだけなので、別部品が不要であり安価な部品供給ができる
【図面の簡単な説明】
【図１】本発明の実施形態による熱動形過負荷継電器の定常状態を示す内部機構図
【図２】本発明の実施形態による熱動形過負荷継電器の過負荷状態を示す内部機構図
【図３】図１に示す引っ張りばねの斜視図
【図４】従来例を示す熱動形過負荷継電器の定常状態を示す内部機構図
【図５】従来例を示す熱動形過負荷継電器の過負荷状態を示す内部機構図
【符号の説明】
２        主バイメタル
３        シフタ
８        調整リンク
９        調整ダイヤル
１０        可動板
１１        支持片
２０        引っ張りばね
２０ａ      突起部
４０        反転動作機構
７０        釈放レバー
７０ａ      平担面
【図１】
0003899754.tif 000002
【図２】
0003899754.tif 000003
【図３】
0003899754.tif 000004
【図４】
0003899754.tif 000005
【図５】
0003899754.tif 000006